(57)【要約】      （修正有）【課題】媒体の挿入等エラーに対する対応が迅速に行える媒体処理装置と媒体処理方法を提供することにある。【解決手段】挿入口１１から媒体１０を見開き状態で搬送させる搬送ローラ１２と、媒体１０のサイズや見開きページに印刷されたページマークおよび綴じ目であるミシン目の読取や印字行の検出を行うために見開きページをスキャンするＣＣＤラインセンサ１３を挿入口１１の近傍に配置する。媒体１０の見開きページ情報を読み取って媒体１０の種別を判定するＣＰＵを有する。ラインセンサ１３と、媒体１０を図示しないセンサが検知すると開くシャッタ１４と、通帳の磁気ストライプに対してデータをリード・ライトする磁気ヘッド部１５と、媒体１０の文字等の文字認識をするＯＣＲ部１６と、媒体１０への印字を行う印字部１７と、通帳のページめくりを行うページめくり機構１８を備えている。【選択図】図１
2006260146.tif 000002
【特許請求の範囲】
【請求項１】
挿入口から挿入された媒体を見開き状態で搬送する搬送手段と、この搬送手段により搬送させつつ前記媒体の見開きページ情報を読み取るスキャナ部とを備えた媒体処理装置において、前記挿入口の近傍に前記スキャナ部を配置したことを特徴とする媒体処理装置。
【請求項２】
請求項１記載の媒体処理装置において、前記スキャナ部によって前記媒体の見開きページ情報を読み取り前記媒体の種別を判定する制御部を有することを特徴とする媒体処理装置。
【請求項３】
請求項１または２記載の媒体処理装置において、前記各種媒体の情報を格納する記憶部と、前記スキャナ部で読み取る前記媒体の見開きページ情報と、前記記憶部に格納された各種媒体情報から該当する前記媒体を抽出し前記媒体の種別を判別する制御部を有することを特徴とする媒体処理装置。
【請求項４】
請求項１〜３のいずれかに記載の媒体処理装置において、前記媒体は、少なくとも媒体幅サイズ、ページマーク位置および綴じ目位置情報を有することを特徴とする媒体処理装置。
【請求項５】
挿入口から媒体を見開き状態で挿入し搬送させつつスキャナ部で読み取る媒体処理方法において、前記媒体幅サイズのイメージを読み取るステップと、ページマークを読み取るステップと、綴じ目を読み取るステップを有することを特徴とする媒体処理方法。
【発明の詳細な説明】
【技術分野】
【０００１】
本発明は、金融機関で取り扱う通帳および払込取扱票等の各媒体の媒体処理装置およびその方法に関する。
【背景技術】
【０００２】
従来から金融機関においては、現金自動預出金機（以下、単にＡＴＭという）が利用されている。このＡＴＭ等には、媒体処理装置が内蔵されている。この媒体処理装置では、媒体として通帳のほか払込取扱票にも取引データを処理するようになっている。通帳は各ページに印刷されたページマークや印字行を読み取ってページの確認と印字可能行を上位装置へセットする。しかし、払込取扱票ではこのような読取は必要なく、払込取扱票の場合、手書き文字をスキャナで読み取るＯＣＲ（光学的文字読取装置）機能を備えている。（たとえば、特許文献１参照）。
【特許文献１】特開平５ー２５０５０５号公報
【発明の開示】
【発明が解決しようとする課題】
【０００３】
しかし、従来においては、媒体挿入時に、たとえば、図７に示すように通帳に払込取扱票が挟まれた状態では、通帳の種別が判断できなかった。また、図８に示すように払込取扱票の角が破れていた場合には、払込取扱票として認識ができなかった。さらに、正規な挿入に対し媒体を横挿入した状態、上下逆方向に挿入した状態では、磁気ストライプの位置まで搬送されないと通帳の種別の判断ができなかった。このため、媒体の取り込みから返却までに長い時間を要するという問題があった。
【０００４】
本発明は、媒体の挿入等エラーに対する対応が迅速に行える媒体処理装置と媒体処理方法を提供することにある。
【課題を解決するための手段】
【０００５】
本発明の媒体処理装置は、挿入口から挿入された媒体を見開き状態で搬送する搬送手段と、この搬送手段により搬送させつつ前記媒体の見開きページ情報を読み取るスキャナ部とを備えた媒体処理装置において、前記挿入口の近傍に前記スキャナ部を配置したことを特徴とする
本発明の媒体処理方法は、挿入口から媒体を見開き状態で挿入し搬送させつつ前記媒体の見開きページ情報をスキャナ部で読み取る媒体処理方法において、前記媒体幅のイメージを読み取るステップと、ページマークを読み取るステップと、綴じ目を読み取るステップを有することを特徴とする
【発明の効果】
【０００６】
本発明によれば、媒体の挿入エラーに対応した処理が迅速に行える。
【発明を実施するための最良の形態】
【０００７】
以下、本発明の一実施の形態について図面を参照して説明する。
【０００８】
図１は本発明を実施の形態である媒体処理装置の構成を示す。この媒体処理装置は、複数種の通帳および払込書等の異種媒体（以下、これらを単に「媒体」という）の各種の処理を行う。
【０００９】
図１に示すように、媒体処理装置は、媒体１０を挿入および排出する挿入口１１と、この挿入口１１より挿入された媒体１０の自動取り込みを行うたとえば、一対の搬送ローラ１２、１２と、この搬送ローラ１２、１２によって取り込まれた媒体１０のサイズや通帳の見開きページに印刷されたページマークおよび綴じ目であるミシン目の読取や印字行の検出を行うために通帳見開きページをスキャンするスキャナ部であるＣＣＤ（チャージ・カップルド・デバイス）ラインセンサ１３と、媒体１０を図示しないセンサが検知すると開くシャッタ１４と、通帳の磁気ストライプに対してデータをリード・ライトする磁気ヘッド部１５と、媒体１０の文字等の文字認識をするＯＣＲ部１６と、媒体１０への印字を行う印字部１７と、通帳のページめくりを行うページめくり機構１８を備えて構成している。
【００１０】
ＣＣＤラインセンサ１３は媒体１０の搬送方向Ｘと直交する方向を長手方向として配置されている。このＣＣＤラインセンサ１３の長手方向の長さは媒体１０の搬送方向と直交する方向の幅より長くなっており、これによってＣＣＤラインセンサ１３を動かすことなく媒体１０の全体画像を読取ることができる。
【００１１】
磁気ヘッド部１５は通帳の裏表紙または表紙全体に設けられた磁気ストライプの情報を読取りおよび書込みを行う機能を有する。
【００１２】
次に、この媒体処理装置で扱われる媒体１０である払込取扱票について説明する。
【００１３】
図２に払込取扱票の例を示す。払込取扱票２１には、払込先の口座、払込金額、払込先住所等の払込に必要な各種情報が記入される書式枠２２が設けられている。この書式枠２２の部分のイメージは、ＣＣＤラインセンサ１３によって読み込まれ、ＯＣＲ部１６で、書式枠２２に記入されている文字等の認識が行われる。
【００１４】
次に、この媒体処理装置で扱われる媒体１０である通帳について説明する。
【００１５】
この媒体処理装置で処理可能な通帳３１には、たとえば、図３（ａ）に示すように搬送方向Ｘに沿って綴じ目であるミシン目３２ａを有する縦型通帳３３と、図３（ｂ）に示すように綴じ目であるミシン目３２ｂが搬送方向Ｘに対し直交する方向に沿って設けられた横型通帳３４等がある。
【００１６】
これら縦型通帳３３および横型通帳３４の表紙面には、利用者の口座番号や記録ページ番号の情報が記録された磁気ストライプ３５ａ、３５ｂが搬送方向Ｘに沿って貼り付けられている。さらに、縦型通帳３３および横型通帳３４の各見開面の定位置には通帳のページを識別するためのページマーク３６ａ、３６ｂが印刷されている。
【００１７】
図４は、縦型通帳３３をＣＣＤラインセンサ１３で読み取ったデータをヒストグラムとして解析した説明図である。
【００１８】
図４（ａ）に示すように、縦型通帳を見開き状態にしてページマーク３６ａを上面に、中央に綴じ目であるミシン目３２ａが施されている。ＣＣＤラインセンサ１３でＡ部とＢ部をスキャンした結果としてＡ部はミシン目３２ａを検出している。Ｂ部はページマーク３６ａとミシン目３２ａとを検出している。
【００１９】
図４（ｂ）は側面図である。中央のミシン目３２ａが凹部になっている。
【００２０】
図４（ｃ）はＣＣＤラインセンサ１３でＡ部をスキャンした出力波形である。この場合、ミシン目３２ａの部分が検出されている。
【００２１】
図４（ｄ）はＣＣＤラインセンサ１３でＢ部をスキャンした出力波形である。この場合、先端部に近いページマーク３６ａの部分と中央部のミシン目３２ａの部分が検出されている。
【００２２】
図５は媒体処理装置の制御機構の構成を示すブロック図である。
【００２３】
６１は制御部本体を構成するＣＰＵ（中央処理装置）である。このＣＰＵ６１には、バスライン６２を介して各部の間でデータのやり取りを制御するとともに、各部の制御を総括的に行うものである。すなわち、ＣＰＵ６１には、ＲＯＭ（リード・オンリー・メモリ）６３、ＲＡＭ（ランダム・アクセス・メモリ）６４、ＣＣＤラインスキャナ１３を制御するイメージセンサ制御回路６５、通帳の裏表紙に設けられている磁気ストライプ３５ａ、３５ｂの磁気データを読み取るとともに最終印字行データ等を磁気ストライプ３５ａ、３５ｂに書き込む磁気ヘッド部１５を制御する磁気ヘッド制御回路６６、ＯＣＲ部１６を制御するＯＣＲ制御回路６７、通帳に印字する印字部１７を制御する印字部制御回路６８、搬送ローラ１２を搬送する搬送モータ６９を制御する搬送モータ制御回路７０、シャッタ１４を制御するシャッタ制御回路７１、表示部７２を制御する表示制御回路７３、通信制御部７５等が接続されている。
【００２４】
ＣＣＤラインスキャナ１３に読み取られた通帳の見開きページのイメージはＣＰＵ６１（制御部）にて処理される。ＣＰＵ６１は、の見開き面のイメージから縦型通帳３３および横型通帳３４の外形（幅と長さ）、ページマーク３６ａ、３６ｂの位置、綴じ目であるミシン目３２ａ、３２ｂなどの特徴を抽出し、これらの縦型通帳３３または横型通帳３４の種別を判断する。
【００２５】
ＲＯＭ６３はＣＰＵ６１の動作に必要なプログラムや各種媒体１０の検知のためのプログラムが格納されるとともに、ＣＰＵ６１の作業領域等として使用されるメモリである。また、ＲＯＭ６３の図示しない媒体情報テーブルには、各種媒体情報である媒体１０サイズの幅および長さ、ページマーク３６ａ、３６ｂおよびミシン目３２ａ、３２ｂ等の特徴を表すデータが格納されている。
【００２６】
ＲＡＭ６４は、ＣＣＤラインセンサ１３によって読み取られた払込取扱票２１や通帳３３、３４の見開きページ全体のイメージが一時的に格納されるメモリである。
【００２７】
制御部であるＣＰＵ６１は、ＣＣＤラインセンサ１３によって読み取られた払込取扱票２１や通帳３３，３４と、ＲＯＭ６３の媒体情報テーブルの各種媒体情報とを比較し、媒体１０の種別を判定するようになっている。また、ＲＡＭ６４に格納された払込取扱票２１のイメージを解析して払込取扱票２１を認識するものである。
【００２８】
印字部１７は、媒体１０への印字を行うものであり、たとえば通帳３３、３４の見開きページの各印字行に取引日、取引金額、口座残額等の取引情報の印字を行うものである。
【００２９】
表示部７２は、機器の状態を表示し、職員および保守員に各種メッセージを提供する。
【００３０】
通信制御部７５は、上位ホスト装置との間で通信を行うためのものである。
【００３１】
次に、この実施の形態の媒体処理装置による払込処理の流れを説明する。
【００３２】
利用者によって媒体処理装置の挿入口１１より払込取扱票２１が挿入されると、搬送ローラ１２が駆動され払込取扱票２１は本装置の内部へ自動で取り込まれる。取り込まれた払込取扱票２１はＣＣＤラインセンサ１３でサイズの幅を読み込まれる。取り込まれた払込取扱票２１は、ＯＣＲ部１６を通過するように搬送され、印字部１７を素通りして、印字部１７の後方にある図示しない、一時保留部に保留される。
【００３３】
一方、ＣＣＤラインセンサ１３によって読み取られた払込取扱票２１のイメージはＯＣＲ部１６とＣＰＵ６１にて認識され、文字認識結果として払込取扱票２１に記入されている払込先の口座番号、払込金額などの取引データが得られるとともに、必要な記入欄の文字の有無、払込取扱票２１の種別の確認が行われる。
【００３４】
次に、通帳の種別から磁気ストライプからデータをリードする前までの処理の流れを説明する。図６は、この処理の流れを示すフローチャートである。図１〜図５を参照して説明する。
【００３５】
まず、利用者によって媒体１０が挿入口１１にセットされる（ステップＳ１１）。
【００３６】
次に、セットされた媒体１０が払込取扱票２１であるか通帳類であるかが両者の幅寸法の違いを基にＣＣＤラインセンサ１３等のスキャナ部を用いて調べ、ＲＯＭ６３に格納された各媒体１０の幅サイズと比較し、どの種別の通帳３３，３４かまたは払込取扱票２１かを判別する（ステップＳ１２）。
【００３７】
媒体幅サイズは正しかを調べる（ステップＳ１３）。媒体１０として認められない場合、媒体１０を排出し利用客に返却する（ステップＳ１３のＮｏ）。
【００３８】
媒体幅サイズが正しい場合（ステップＳ１３のＹｅｓ）、シャッタ１４を開いて媒体１０を搬送させる（ステップＳ１４）。
【００３９】
頁マーク位置が正しかを調べる（ステップＳ１５）。挿入方向の誤りと判断すると媒体１０を排出する（ステップＳ１５のＮｏ）。挿入方向が正しい場合（ステップＳ１５のＹｅｓ）、媒体１０のミシン目位置が正しいか調べる（ステップＳ１６）。
【００４０】
媒体１０のミシン目３２ａ、３２ｂ位置が正しくないと判断すると媒体１０を排出する（ステップＳ１６のＮｏ）。
【００４１】
媒体１０のミシン目位置が正しい場合（ステップＳ１６のＹｅｓ）、次に、媒体幅・長さは正しいかを調べる（ステップＳ１７）。媒体幅・長さは正しくないと判断すると通帳と払込書が一緒に挿入されたと判断し媒体１０を排出する（ステップＳ１７のＮｏ）。
【００４２】
媒体幅・長さは正しい場合（ステップＳ１７のＹｅｓ）、次に媒体１０を搬送させ、通帳３３、３４場合、磁気ストライプ３５ａ、３５ｂを磁気ヘッド１５で情報を読取る（ステップＳ１８）。
【００４３】
以上説明したように、本発明は前記実施の形態の係る媒体処理装置および媒体処理方法のＣＣＤラインセンサ１３は媒体の幅、長さサイズ、ページマーク３６ａ、３６ｂおよび綴じ目のミシン目３２ａ、３２ｂ等を検知し制御することで、磁気ストライプ３５ａ、３５ｂのリード・ライト処理をしない段階で媒体１０の異常を検知することができる。これにより、媒体１０を排出する場合の返却処理の操作時間が短縮できる。
【００４４】
なお、本発明は前記実施の形態に限定されるものではなく、実施の段階ではその趣旨を逸脱しない範囲で種々に変形することが可能であるのは勿論である。
【図面の簡単な説明】
【００４５】
【図１】本発明の一実施の形態に係る媒体処理装置の構成を示す図。
【図２】本発明の一実施の形態に係る払込書の様式の例を示す図。
【図３】本発明の一実施の形態に係る通帳の構成を示す図。
【図４】本発明の一実施の形態に係る通帳のページマークとミシン目をＣＣＤラインスキャナで読み取った図。
【図５】本発明の一実施の形態に係る媒体処理装置の制御系の構成を示すブロック図。
【図６】本発明の一実施の形態に係る通帳の種別から磁気ストライプからデータをリードする前の処理の流れを説明する。
【図７】通帳に払込取扱票が挟まった図。
【図８】払込取扱票の角の部分が破れた図。
【符号の説明】
【００４６】
１０…媒体、１１…挿入口、１２…搬送手段、１３…ＣＣＤラインセンサ（スキャナ部）、３２ａ、３２ｂ…綴じ目、３６ａ、３６ｂ…ページマーク、６１…ＣＰＵ（制御部）６３…ＲＯＭ（記憶部）、６４…ＲＡＭ。
【図１】
2006260146.tif 000003
【図２】
2006260146.tif 000004
【図３】
2006260146.tif 000005
【図４】
2006260146.tif 000006
【図５】
2006260146.tif 000007
【図６】
2006260146.tif 000008
【図７】
2006260146.tif 000009
【図８】
2006260146.tif 000010